(57)【要約】【課題】光を受光することによって発電した電力で情報を表示する場合に、光を受光するための受光面積を狭くすることなく、所望の情報を所望のレイアウトで表示する。【解決手段】ＬＥＤ３２が発光することによって情報を表示する情報表示部１１が一方の面に設けられた情報表示シート１において、情報表示シート１の他方の面側からの光を受光することによって発電する太陽電池３１を有し、太陽電池３１にて発電した電力がＬＥＤ３２に供給され、情報表示シート１の太陽電池３１が光を受光する面の全面に、光を透過する材料からなる粘着剤４０が塗布されている。【選択図】図１
2010232287.tif 000002
【特許請求の範囲】
【請求項１】
供給される電力によって情報を表示する表示手段が一方の面に設けられた情報表示シートにおいて、
前記情報表示シートの他方の面側からの光を受光することによって発電する発電手段と、
前記発電手段にて発電した電力を前記表示手段に供給する電力供給手段とを有し、
前記他方の面の全面に、光を透過する材料からなる粘着剤が塗布されていることを特徴とする情報表示シート。
【発明の詳細な説明】
【技術分野】
【０００１】
本発明は、電力によって情報を表示する情報表示シートに関し、特に、太陽電池のように光を受光することにより発電する発電手段にて発電した電力によって情報を表示する情報表示シートに関する。
【背景技術】
【０００２】
近年、石油等の化石燃料の枯渇化や地球温暖化の問題から、光電変換素子を用いた太陽電池の利用が着目されている。太陽電池は、太陽光等の光を受光して発電するものであるため、ほぼ無尽蔵であるとともに二酸化炭素等の排出物を出すことがなく、今後、さらなる利用が予想される。
【０００３】
このような太陽電池は、現在でも様々な分野にて利用することが考えられており、例えば、太陽電池にて発電した電力を用いて液晶ディスプレイ等の表示素子を駆動することにより情報を表示するものが考えられている。このように、太陽電池を用いて情報を表示するものにおいては、情報が表示される面の一部に、光を受光するための受光部が設けられており、この受光部にて受光した光によって発電し、情報が表示されることになる（例えば、特許文献１参照。）。
【先行技術文献】
【特許文献】
【０００４】
【特許文献１】特開昭６４−６７６９４号公報
【発明の概要】
【発明が解決しようとする課題】
【０００５】
一般に、太陽電池は、太陽光等の光を受光すると発電する材料が２枚の電極間に挟み込まれたパネル状に形成され、発電により生じた電位をエネルギーとして外部に取り出すことにより利用されるものであるため、所望の電力を発電させるために広い受光面積を必要とする場合がある。
【０００６】
そのため、上述したように、情報が表示される面の一部に、光を受光するための受光部が設けられたものにおいては、所望の電力を発電させるために広い受光面積を確保した場合、情報が表示される領域の面積が狭くなってしまうとともに、情報の表示領域のレイアウトが限定されてしまい、それにより、所望の情報を表示することができなくなってしまうという問題点がある。また、その逆に、所望の情報を表示するために十分な面積を確保した場合は、光を受光するための受光面積が狭くなってしまい、所望の電力を発電させることができなくなってしまうという問題点がある。
【０００７】
本発明は、上述したような従来の技術が有する問題点に鑑みてなされたものであって、光を受光することによって発電した電力で情報を表示する場合に、光を受光するための受光面積を狭くすることなく、所望の情報を所望のレイアウトで表示することができる情報表示シートを提供することを目的とする。
【課題を解決するための手段】
【０００８】
上記目的を達成するために本発明は、
供給される電力によって情報を表示する表示手段が一方の面に設けられた情報表示シートにおいて、
前記情報表示シートの他方の面側からの光を受光することによって発電する発電手段と、
前記発電手段にて発電した電力を前記表示手段に供給する電力供給手段とを有し、
前記他方の面の全面に、光を透過する材料からなる粘着剤が塗布されていることを特徴とする。
【０００９】
上記のように構成された本発明においては、情報を表示する表示手段が情報表示シートの一方の面に設けられており、情報表示シートの他方の面側からの光を受光することによって発電手段が発電し、発電手段にて発電した電力が電力供給手段によって表示手段に供給され、表示手段において、供給された電力によって情報が表示される。この情報表示シートの光を受光するための面には、その全面に、光を透過する材料からなる粘着剤が塗布されているので、この粘着剤を用いてガラスやプラスチック等の光を透過するものに情報表示シートを貼着すると、情報表示シートが、貼着されたガラスやプラスチック等に固定された状態でガラスやプラスチック等を介して光が受光され、発電手段が発電し、ガラスやプラスチック等との貼着面とは反対側の面にて情報が表示されることになる。
【００１０】
このように、情報を表示する表示手段が設けられた面と、発電手段にて光を受光するための面とが互いに異なり、また、発電手段にて光を受光するための面の全面が粘着剤によって貼着可能となっているので、この粘着剤を用いて情報表示シートをガラスやプラスチック等の光を透過するものに貼着することにより、光を受光するための受光面積を狭くすることなく、所望の情報を所望のレイアウトで表示することができるようになる。
【発明の効果】
【００１１】
以上説明したように本発明においては、供給される電力によって情報を表示する表示手段が一方の面に設けられた情報表示シートにおいて、情報表示シートの他方の面側からの光を受光することによって発電する発電手段と、発電手段にて発電した電力を表示手段に供給する電力供給手段とを有し、前記他方の面の全面に、光を透過する材料からなる粘着剤が塗布されている構成とし、情報を表示する表示手段が設けられた面と、発電手段にて光を受光するための面とが互いに異なり、また、発電手段にて光を受光するための面の全面が粘着剤によって貼着可能となっているため、この粘着剤を用いて情報表示シートをガラスやプラスチック等の光を透過するものに貼着することにより、光を受光することによって発電した電力で情報を表示する場合に、光を受光するための受光面積を狭くすることなく、所望の情報を所望のレイアウトで表示することができる。
【図面の簡単な説明】
【００１２】
【図１】本発明の情報表示シートの実施の一形態を示す図であり、（ａ）は表面図、（ｂ）は裏面図、（ｃ）は（ａ），（ｂ）に示したＡ−Ａ’断面図である。
【図２】図１に示した制御回路部の構成を示すブロック図である。
【図３】図１及び図２に示した情報表示シートの使用方法及び動作を説明するための図であり、（ａ）は情報表示シートの取り付け状態を示す斜視図、（ｂ）は情報表示シートの取り付け状態を側方から見た図、（ｃ）は情報表示シートの表面側の表示状態を示す図、（ｄ）は情報表示シートの裏面側の表示状態を示す図である。
【発明を実施するための形態】
【００１３】
以下に、本発明の実施の形態について図面を参照して説明する。
【００１４】
図１は、本発明の情報表示シートの実施の一形態を示す図であり、（ａ）は表面図、（ｂ）は裏面図、（ｃ）は（ａ），（ｂ）に示したＡ−Ａ’断面図である。
【００１５】
本形態は図１に示すように、２枚の透明フィルム１３，２３間に、制御回路部３０と、発電手段である太陽電池３１と、ＬＥＤ３２と、固定用樹脂３６とが挟み込まれて構成されている。固定用樹脂３６は、制御回路部３０、太陽電池３１及びＬＥＤ３２が挟み込まれていない領域にて２枚の透明フィルム１３，２３を貼着している。また、制御回路部３０、太陽電池３１及びＬＥＤ３２に対向する領域にもその領域に応じた厚さで挟み込まれており、それにより、制御回路部３０、太陽電池３１及びＬＥＤ３２の厚さの差を吸収し、透明フィルム１３，２３の表面の平坦化を図っている。透明フィルム１３，２３の互いに対向しない側の面には、所望の情報を掲載するための印刷層１２ａ，２２ａがそれぞれ積層されており、さらに、透明フィルム２３の透明フィルム１３に対向しない側の面の全面には、透明な材料からなる粘着剤４０が塗布されている。なお、粘着剤４０を構成する材料は、光を透過するものであれば、完全に透明ではないものであってもよい。また、粘着剤４０としては、常温で粘着性のあるものや常温で粘着性のないものを用いることができるが、常温で粘着性のあるものを用いる場合は、剥離紙にてこの粘着剤を被覆した構成とすることができ、また、常温で粘着性のない粘着剤を用いる場合は剥離紙が不要となる。
【００１６】
情報表示シート１の一方の面となる表面には、透明フィルム１３上に印刷層１２ａが積層されることにより、情報表示部１１と情報印刷部１２とが設けられている。情報印刷部１２は、透明フィルム１３上に、印刷層１２ａが所望の情報を掲載するように積層されることによりその情報を掲載するものであって、“優先座席”という文字と、優先座席に付随するマークが掲載されている。また、情報表示部１１は、透明フィルム１３上に印刷層１２ａが積層されていないことにより、ＬＥＤ３２の発光を情報表示シート１の表面から視認可能とするものであって、透明フィルム１３のうちＬＥＤ３２に対向する領域において“ＯＦＦ”という形状に印刷層１２ａが積層されていないことにより、ＬＥＤ３２が発光すると、情報表示シート１の表面からは、“ＯＦＦ”という文字が点灯して見えることになる。なお、この情報表示部１１とＬＥＤ３２とから表示手段が構成される。
【００１７】
情報表示シート１の他方の面となる裏面には、透明フィルム２３上に印刷層２２ａが積層されることにより、情報表示部２１と情報印刷部２２と受光領域２４とが設けられている。情報印刷部２２は、透明フィルム２３上に、印刷層２２ａが所望の情報を掲載するように積層されることによりその情報を掲載するものであって、“優先座席”という文字が掲載されている。また、情報表示部２１は、透明フィルム２３上に印刷層２２ａが積層されていないことにより、ＬＥＤ３２の発光を情報表示シート１の裏面から視認可能とするものであって、透明フィルム２３のうちＬＥＤ３２に対向する領域において、情報印刷部２２によって掲載された“優先座席”の一文字ずつの上部にドット状に印刷層２２ａが積層されていないことにより、ＬＥＤ３２が発光すると、情報表示シート１の裏面からは、“優先座席”の一文字ずつの上部のドットが点灯して見えることになる。受光領域２４は、透明フィルム２３のうち太陽電池３１に対向する領域において印刷層２２ａが積層されていないことにより、情報表示シート１の裏面側からの光を太陽電池３１にて受光可能としている。
【００１８】
図２は、図１に示した制御回路部３０の構成を示すブロック図である。
【００１９】
図１に示した制御回路部３０は図２に示すように、二次電池３３と電力供給手段である電力供給制御部３４と表示制御部３５とから構成されている。
【００２０】
太陽電池３１は、ＰＥＴ等からなるフィルムシート上に、例えば、白金からなる電極間に、色素がついた酸化チタンを含有するヨウ素溶液が配されてなり、複数のセルに分割して形成されている。そして、太陽光等の光を受光すると発電し、この発電により生じた電位がエネルギーとして外部に取り出される。
【００２１】
二次電池３３は、太陽電池３１にて発電した電力を蓄電するためのものである。
【００２２】
電力供給制御部３４は、太陽電池３１にて発電し、二次電池３３に蓄電された電力を、表示制御部３５を介してＬＥＤ３２に供給する。
【００２３】
表示制御部３５は、電力供給制御部３４から供給された電力によってＬＥＤ３２を駆動して発光させる。
【００２４】
以下に、上記のように構成された情報表示シート１の使用方法及び動作について説明する。
【００２５】
図３は、図１及び図２に示した情報表示シート１の使用方法及び動作を説明するための図であり、（ａ）は情報表示シート１の取り付け状態を示す斜視図、（ｂ）は情報表示シート１の取り付け状態を側方から見た図、（ｃ）は情報表示シート１の表面側の表示状態を示す図、（ｄ）は情報表示シート１の裏面側の表示状態を示す図である。
【００２６】
図１及び図２に示した情報表示シート１は、図３（ａ）に示すように、電車２の窓ガラス３に貼着される。本形態においては、電車２は地下鉄であり、そのため、車内からは常に光が照射されており、車外からは電車２がホームに入っている時のみ光が照射されることになる。このように、車内からは常に光が照射されており、車外からは電車２がホームに入っている時のみ光が照射されることになるため、情報表示シート１は、図３（ｂ）に示すように、電車２の窓ガラス３の外側に粘着剤４０によって貼着される。すると、情報表示シート１の裏面側が電車２の車内に向くようになり、それにより、情報表示シート１は、その裏面にて電車２の車内から照射される光を受光することになる。
【００２７】
情報表示シート１は、その裏面側において、透明フィルム２３のうち太陽電池３１に対向する領域にて印刷層２２ａが積層されていないことにより、情報表示シート１の裏面側からの光を太陽電池３１にて受光可能とする受光領域２４が設けられており、また、情報表示シート１を窓ガラス３に貼着している粘着剤４０が透明な材料からなるものであるため、電車２の車内から照射された光は、窓ガラス３、粘着剤４０及び透明フィルム２３を介して太陽電池３１にて受光され、それにより、太陽電池３１が発電する。
【００２８】
太陽電池３１にて発電した電力は、二次電池３３に蓄電されるとともに、電力供給制御部３４に供給される。
【００２９】
そして、電力供給制御部３４において、太陽電池３１にて発電して二次電池３３に蓄電された電力が表示制御部３５に供給され、表示制御部３５において、電力供給制御部３４から供給された電力によってＬＥＤ３２の駆動制御が行われ、ＬＥＤ３２が発光する。なお、本形態においては、複数のＬＥＤ３２が、情報表示部１１の“ＯＦＦ”の一文字ずつ、また、情報表示部２１のドットの１つずつに対応して設けられており、表示制御部３５において、複数のＬＥＤ３２が時分割で発光するように制御されることにより、情報表示部１１の“ＯＦＦ”が一文字ずつ、また、情報表示部２１のドットが１つずつ点灯して見えるようになる。なお、情報表示部１１，２１の表示の仕方については、このようなものに限らず、情報表示部１１の“ＯＦＦ”が一度に点灯したり、情報表示部２１のドットが全て同時に点灯したりしてもよく、それは、表示制御部３５のＬＥＤ３５の発光制御によることになる。
【００３０】
これにより、電車２の車外、すなわち、電車２がホームに入ってきた際にホーム側からは、図３（ｃ）に示すように、情報表示シート１の表面に設けられた情報表示部１１の“ＯＦＦ”が一文字ずつ点灯して見え、また、電車２の車内においては、図３（ｄ）に示すように、情報表示シート１の裏面に設けられた情報表示部２１のドットが１つずつ点灯して見えるようになる。
【００３１】
このように、本形態においては、情報表示部１１によって情報を表示する面と、太陽電池３１が光を受光するための面とが互いに異なり、また、太陽電池３１が光を受光するための面が透明な材料からなる粘着剤４０によって貼着可能となっているため、情報表示シート１を図３に示したように電車２の窓ガラス３やプラスチック等の光を透過するものに貼着することにより、光を受光することによって発電した電力で情報を表示する場合に、光を受光するための受光面積を狭くすることなく、所望の情報を所望のレイアウトで表示することができる。すなわち、本形態においては、情報表示部１１が情報表示シート１の表面の一部にしか設けられておらず、また、受光領域２４が情報表示シート１の裏面の一部にしか設けられていないが、ＬＥＤ３２及び太陽電池３１を、透明フィルム１３，２３の周囲を除く領域の全面に配置し、ＬＥＤ３２が透明フィルム１３側となるように透明フィルム１３，２３に挟み込み、情報表示部１１を情報表示シート１の表面のうちＬＥＤ３２に対向する領域の全面に設けるとともに、受光領域２４を情報表示シート１の裏面のうち太陽電池３１に対向する領域の全面に設ければ、情報表示シート１の裏面において光を受光するための受光面積を最も広くとりながらも、所望の情報を情報表示シート１の表面の全面を用いて所望のレイアウトで表示することができる。
【００３２】
なお、図３に示した例においては、図１及び図２に示した情報表示シート１を地下鉄の電車２の窓ガラス３に貼着した場合を例に挙げて説明したが、図１及び図２に示した情報表示シート１を貼着する電車２が地下鉄ではない場合は、その電車２の窓ガラス３には、車外から太陽光等の光が常時照射されることになるため、窓ガラス３の内側に情報表示シート１を粘着剤４０によって貼着してもよい。その場合、情報表示シート１の裏面側が電車２の車外に向くようになり、それにより、情報表示シート１は、その裏面にて電車２の車外から照射される太陽光等の光を受光することになる。また、図１及び図２に示した情報表示シート１が貼着されるものは、図３に示したような電車２の窓ガラス３に限らず、光を透過するガラスやプラスチック等であればよく、それにより、情報表示シート１をそのガラスやプラスチック等に固定した状態で、上述したように、光を受光してその受光によって発電した電力でＬＥＤ３２を発光させて情報を表示することができる。
【００３３】
また、本形態においては、情報表示部１１，２１にて情報を表示するための手段としてＬＥＤ３２を用いたものを例に挙げて説明したが、その他に、少なくとも一方が透明な２枚の電極間に、帯電性粒子が液体内に分散した情報表示層を挟み込み、２つの電極層に電圧が印加された場合に帯電性粒子が液体内を移動することによって情報を表示するもの等を用いることも考えられる。
【符号の説明】
【００３４】
１    情報表示シート
２    電車
３    窓ガラス
１１，２１    情報表示部
１２，２２    情報印刷部
１２ａ，２２ａ    印刷層
１３，２３    透明フィルム
２４    受光領域
３０    制御回路部
３１    太陽電池
３２    ＬＥＤ
３３    二次電池
３４    電力供給制御部
３５    表示制御部
３６    固定用樹脂
４０    粘着剤
【図１】
2010232287.tif 000003
【図２】
2010232287.tif 000004
【図３】
2010232287.tif 000005